(57)【特許請求の範囲】
【請求項１】
長手の棒状体の先端に所定の作業部材を設けてなる水中作業具にして、前記棒状体を、炭素繊維強化樹脂からなる中空のパイプ部材にて構成すると共に、該パイプ部材のパイプ壁部を貫通する通水孔を該パイプ壁部の適数箇所に設けて、水中浸漬時に該通水孔から前記パイプ部材の中空部内に水が浸入し得るようにしたことを特徴とする水中作業具。
【発明の詳細な説明】
【０００１】
【技術分野】
本発明は、長手棒状の水中作業具に係り、特に、水中でも優れた作業性を発揮し得る水中作業具に関するものである。
【０００２】
【背景技術】
従来から、水中に生息する各種の魚、アワビ、ウニ等の魚介類や、ワカメ等の海藻類を、船上から捕獲乃至は採取する際には、長手の棒状体の先端部に、鉤爪や銛、鎌等の所定の作業部材が設けられてなる水中作業具が用いられており、そして、そのような作業具にあっては、一般に、その棒状体部分の素材には、木や竹、あるいは鉄やアルミニウム等の金属が採用されている。
【０００３】
ところが、そのような木や竹にて棒状体部分が構成された水中作業具においては、その材質ゆえに、機械的強度が弱く、使用中に曲がったり折れたりするといった問題ばかりでなく、水中に入れた際に浮力が発生してしまい、水中作業に際しての作業性が悪化するといった問題があった。さらに、これらの素材は、水中で長時間使用しているうちに、それらの素材に吸収された水分等により、腐ってしまうといった問題も、また、内在していたのである。
【０００４】
そこで、そのような水中作業具の棒状体部分を、鉄やアルミニウム等の金属により構成したものも提案されているが、このような棒状体部分に金属を採用した水中作業具にあっては、木や竹に比して比重が大きいために、作業具全体の重量が重くなってしまい、その結果、水中作業性が悪化してしまうという欠点があった。さらに、それらの素材も、水によって腐食され、錆びてしまうといった問題を避けることは難しかったのである。
【０００５】
【解決課題】
ここにおいて、本発明は、かかる事情を背景にして為されたものであって、その解決課題とするところは、優れた機械的強度を有すると共に、軽量性に優れ、且つ水中での作業性が有利に発揮され得る、耐食性のある水中作業具を提供することにある。
【０００６】
【解決手段】
そして、本発明にあっては、そのような課題の解決のために、長手の棒状体の先端に所定の作業部材を設けてなる水中作業具にして、前記棒状体を、炭素繊維強化樹脂からなる中空のパイプ部材にて構成すると共に、該パイプ部材のパイプ壁部を貫通する通水孔を該パイプ壁部の適数箇所に設けて、水中浸漬時に該通水孔から前記パイプ部材の中空部内に水が侵入し得るようにしたことを特徴とする水中作業具を、その要旨とするものである。
【０００７】
このように、かかる本発明に従う水中作業具にあっては、長手の棒状体部分が炭素繊維強化樹脂製の中空パイプにて構成されているところから、十分な機械的強度が確保されると共に、その重量が有利に軽量化され得、さらに、水分を吸収して腐ってしまったり、錆びてしまうという問題も、有利に解消せしめられ得るのである。
【０００８】
しかも、そのような水中作業具にあっては、長手の棒状体部分を構成する樹脂製パイプの筒壁に複数の通水孔が設けられ、それら複数の通水孔を通じて、棒状体部分の内部に水が導入され得るようになっているところから、水中で使用する際に、棒状体の水中浸漬部分に相当する棒状体内部には水が存在するようになるのであって、それ故に、棒状体の水中への浸漬によって惹起される浮力の大きさも、それだけ減少せしめられ得ることとなるのであり、以て、従来の如き水中作業性が悪化するといった問題が、効果的に軽減乃至は回避され得ることとなるのである。
【０００９】
【発明の実施の形態】
以下、本発明を更に具体的に明らかにするために、図面を参照しつつ、本発明の構成について、詳細に説明することとする。
【００１０】
先ず、図１には、本発明に従う構造を有する水中作業具が、概略的に示されている。この図１において、水中作業具１０は、船上からの操作によって、鮑の捕獲を目的としたものであって、その目的に沿うに十分な長さの長手の棒状体１２と、該棒状体１２の先端に取り付けられた、鮑の捕獲のための作業部材としての鉤爪１６と、それら棒状体１２と鉤爪１６を連結する連結部材１４とを含んで、構成されている。
【００１１】
そして、そのような水中作業具１０において、その目的とする鮑の捕獲のために船上の作業者が一端部を把持する棒状体１２は、船上の作業者が海底に生息する鮑を捕獲するに十分な長さとされた、長尺の炭素繊維強化樹脂製の円筒形状を呈する中空パイプ部材をもって、構成されている。なお、この炭素繊維強化樹脂製の中空パイプ部材は、よく知られているように、例えば、炭素繊維を織成してなるカーボンクロスを円筒状に巻いた状態において、それに含浸せしめたエポキシ樹脂等の熱硬化型の樹脂を加熱、硬化せしめる手法等によって、得られるものである。従って、このように、棒状体１２を、炭素繊維強化樹脂製の中空パイプ部材にて構成しているところから、十分な機械的強度が確保されると共に、棒状体１２の重量、ひいては水中作業具１０全体の重量が、有利に軽量化され得るのである。
【００１２】
また、中空パイプ部材にて構成された棒状体１２のパイプ壁部には、図２及び図３に示されるように、そのパイプ壁部を貫通する通水孔１８が、棒状体１２の機械的強度を必要以上に低下させず、且つ棒状体１２内部に水が速やかに侵入可能とされた大きさと数をもって、パイプ長さ全体に亘って設けられている。このように、棒状体１２に複数の通水孔１８を設けることによって、棒状体１２の更なる軽量化が達成され得ると共に、水中作業具１０を水中に進入せしめた際に、それら複数の通水孔１８から、中空とされた棒状体１２の内部に水が速やかに侵入せしめられ得、その結果、棒状体１２に発生する浮力が効果的に低減され、以て該水中作業具１０を水中へ進入させるために必要な労力がさらに軽減されると共に、該水中作業具１０の水中での取扱作業性（取回し）が有利に向上され得ることとなるのである。
【００１３】
さらに、そのような長尺の棒状体１２の一方の先端部には、連結部材１４を介して、作業部材である鉤爪１６が取り付けられており、該棒状体１２と該連結部材１４、該連結部材１４と該鉤爪１６のそれぞれは、各種の公知である接続手段により、接続されている。なお、このように棒状体１２に取り付けられた鉤爪１６は、その取付け部から先端に向かうに従って鉤状に湾曲し、また、その先端部は、鋭く尖った形状とされているところから、捕獲物を引っかけたり、その尖った先端部で突き刺す等の作業を行うことが可能となるのである。また、そのような棒状体１２の先端部に取り付けられている鉤爪１６は、一般に、鉄やステンレス等の水より大きな比重を持った金属にて構成されているところから、水中作業具１０を水中に進入させる際に、鉤爪１６が重りの役割を果たし、その結果、水中作業具１０を水中に進入させるために必要な力が有利に軽減され得ることとなる。
【００１４】
更にまた、そのような棒状体１２と鉤爪１６を連結する連結部材１４は、金属バネやゴム等の弾性変形が可能とされた材質にて形成されている。これによって、鉤爪１６を捕獲物に引っ掛ける等する際に、鉤爪１６を捕獲物等に押し付けることによって発生する応力によって連結部材１４が弾性変形し、鉤爪１６と捕獲物との接触角度を自由に変化させることが、可能となるのである。
【００１５】
従って、以上のような構造とされた水中作業具１０は、棒状体１２が十分な機械的強度と、軽量性を有し、さらに水中に進入した際には、該棒状体１２の内部に水を侵入させることによって浮力が軽減されるようになっているところから、従来の水中作業具よりも優れた、水中での取扱作業性が発揮され得ることとなるのである。
【００１６】
以上、本発明の一実施形態について詳述してきたが、これは文字通りの例示であって、本発明は、そのような例示の具体例にのみ限定して解釈されるものではないことが、理解されるべきである。
【００１７】
例えば、棒状体１２の先端に取り付けられる鉤爪１６を、図４に示すように複数本の鉤爪１６ａ，１６ｂで構成してもよいことは、勿論である。
【００１８】
また、そのような鉤爪１６を、図４に示すように開閉可能とし、棒状体１２の端部のうち、鉤爪１６が取り付けられた方とは反対側の端部に取り付けられた操作レバー２０を、作業者が握ることによって、鉤爪１６の開閉動作を操作可能にしても、何等差支えない。これによって、単に鉤爪１６にて捕獲物を引っ掛けるだけでなく、掴むといった複雑な動作も可能となり、作業性が更に向上せしめられ得るのである。
【００１９】
さらに、棒状体１２の先端に取り付けられる作業部材は、鉤爪１６のように鉤状でなくとも、例えば、真っ直ぐに尖った銛状のものでもよく、また、棒状体１２の軸直角方向に伸びる鎌状のものであっても、何等差支えなく、それらは作業に応じて有利な形状が適宜に採用されることとなる。また、その素材も、本実施形態で例示した鉄やステンレスといった金属製でなくともよく、棒状体１２と同様な炭素繊維強化樹脂、あるいはゴムやプラスチック等の弾性がある材質が、適宜採用されることとなる。
【００２０】
更にまた、連結部材１４の材質においては、ここで例示した金属バネやゴム材料はもちろんのこと、公知である各種の弾性を持つ材質が、適宜に用いられることとなる。また、このような連結部材１４は、本発明において何等必須のものではなく、鉤爪１６や各種の作業部材を、棒状体１２に直接に取り付けるようにしても、何等問題ないのである。
【００２１】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもないところである。
【００２２】
【発明の効果】
以上の説明から明らかなように、本発明に従う水中作業具においては、耐食性を有し、優れた機械的強度を持つと共に、軽量性に優れ、且つ水中での作業性を有利に高めることが可能となったのである。
【図面の簡単な説明】
【図１】本発明に従う水中作業具の一例を示す説明図である。
【図２】図１におけるＡ部分拡大図である。
【図３】図２におけるＢ−Ｂ断面説明図である。
【図４】本発明に従う水中作業具の別の態様の一例を示すものである。
【図５】本発明に従う水中作業具の更に別の態様の一例を示すものである。
【符号の説明】
１０  水中作業具
１２  棒状体
１４  連結具
１６  鉤爪
１８  通水孔
【図１】
0004445164.tif 000002
【図２】
0004445164.tif 000003
【図３】
0004445164.tif 000004
【図４】
0004445164.tif 000005
【図５】
0004445164.tif 000006